(57)【要約】【課題】  スピーカの音を効率良く、かつ良好に放音できる鍵盤楽器を提供する。【解決手段】  鍵盤部１０が配置された楽器ケース１と、この楽器ケース１内でかつ鍵盤部１０の後方に配置されたスピーカ２３と、楽器ケース１の上部に開閉可能に取り付けられ、開状態においてスピーカ２３で発生した音を放音するための第２放音孔２５を開放する放音蓋２６と、この放音蓋２６から楽器ケース１の前側に向けて突出する位置に移動可能に設けられた補助放音蓋２８と、を備えている。従って、放音蓋２６を開いて第２放音孔２５を開放させた際に、スピーカ２３で発生した音を第２放音孔２５から良好に放音できると共に、この状態で補助放音蓋２８を楽器ケース１の前側に向けて突出させることができるので、第２放音孔２５から放音された音を楽器ケース１の前側に向けて指向性をもって良好に放音できる。【選択図】        図２
2015011144.tif 000002
【特許請求の範囲】
【請求項１】
鍵盤部が配置された楽器ケースと、
この楽器ケース内でかつ前記鍵盤部の後方に配置されたスピーカと、
前記楽器ケースの上部に開閉可能に取り付けられ、開状態において前記スピーカで発生した音を放音するための放音孔を開放する放音蓋と、
この放音蓋から前記楽器ケースの前側に向けて突出する位置に移動可能に設けられた補助放音蓋と、
を備えていることを特徴とする鍵盤楽器。
【請求項２】
請求項１に記載の鍵盤楽器において、前記放音孔は、前記楽器ケースの上部に位置する天板にその上下に貫通して設けられており、前記放音蓋は、前記天板上に上下方向に回転可能に取り付けられていることを特徴とする鍵盤楽器。
【請求項３】
請求項１または請求項２に記載の鍵盤楽器において、前記補助放音蓋は、前記放音蓋に前記楽器ケースの前後方向に向けてスライド可能に取り付けられていることを特徴とする鍵盤楽器。
【請求項４】
請求項３に記載の鍵盤楽器において、前記放音蓋に対して前記補助放音蓋を前記楽器ケースの前後方向にガイドする放音蓋ガイド部を備えていることを特徴とする鍵盤楽器。
【請求項５】
請求項３または請求項４に記載の鍵盤楽器において、前記補助放音蓋が前記放音蓋から前記楽器ケースの前側に向けて移動した際に、前記補助放音蓋の移動を停止させるストッパ部を備えていることを特徴とする鍵盤楽器。
【発明の詳細な説明】
【技術分野】
【０００１】
この発明は、電子ピアノや電子オルガンなどの鍵盤楽器に関する。
【背景技術】
【０００２】
例えば、電子ピアノなどの電子鍵盤楽器においては、特許文献１に記載されているように、前部側が上方に開放された楽器ケース内に鍵盤部を設けると共に、この鍵盤部を覆う鍵盤蓋を開閉可能に設け、この楽器ケースにスピーカを取り付け、このスピーカで発生した音を楽器ケース内から楽器ケースの前側に向けて放音するように構成されたものが知られている。
【先行技術文献】
【特許文献】
【０００３】
【特許文献１】特開２０１１−２８０３４号公報
【０００４】
この電子鍵盤楽器における鍵盤部は、楽器ケース内に配置された鍵盤シャーシと、この鍵盤シャーシ上に上下方向に回転可能な状態で並列に配列された複数の鍵とを備え、これら複数の鍵の各隙間を通してスピーカの音が楽器ケースの前側に向けて放音されるように構成されている。
【０００５】
また、鍵盤蓋は、前蓋と後蓋とが蝶番で折り曲げ可能に連結され、蓋ガイド部によってガイドされるように構成されている。この場合、蓋ガイド部は、鍵盤蓋が鍵盤部を上側に開放した際に、前蓋と後蓋とを蝶番で折り曲げて、後蓋を鍵盤部の後部に接近させた状態で配置させるように構成されている。
【０００６】
これにより、この電子鍵盤楽器では、鍵盤蓋が鍵盤部を上側に開放した際に、前蓋が楽器ケースの上部に僅かな隙間をもって接近すると共に、後蓋が楽器ケースの後部に僅かな隙間をもって接近し、これらの隙間を通してスピーカの音が楽器ケースの前側に向けて放音されるように構成されている。
【発明の概要】
【発明が解決しようとする課題】
【０００７】
しかしながら、このような電子鍵盤楽器では、スピーカで発生した音が楽器ケースの内部を通して楽器ケースの前側に向けて放音される際に、鍵盤部における複数の鍵の各隙間、および後蓋と楽器ケースの後部との隙間、並びに前蓋と楽器ケースの上部との隙間を通して、スピーカの音が楽器ケースの前側に向けて放音される構成であるから、スピーカの音を効率良く、かつ良好に放音させることができないという問題がある。
【０００８】
この発明が解決しようとする課題は、スピーカの音を効率良く、かつ良好に放音させることができる鍵盤楽器を提供することである。
【課題を解決するための手段】
【０００９】
この発明は、鍵盤部が配置された楽器ケースと、この楽器ケース内でかつ前記鍵盤部の後方に配置されたスピーカと、前記楽器ケースの上部に開閉可能に取り付けられ、開状態において前記スピーカで発生した音を放音するための放音孔を開放する放音蓋と、この放音蓋から前記楽器ケースの前側に向けて突出する位置に移動可能に設けられた補助放音蓋と、を備えていることを特徴とする鍵盤楽器である。
【発明の効果】
【００１０】
この発明によれば、放音蓋を開いて放音孔を開放させた際に、スピーカで発生した音を放音孔から良好に放音することができると共に、この状態で補助放音蓋を楽器ケースの前側に向けて突出させることができるので、放音孔から放音された音を楽器ケースの前側に向けて指向性をもって放音することができる。これにより、スピーカの音を効率良く、かつ良好に放音させることができる。
【図面の簡単な説明】
【００１１】
【図１】この発明を電子鍵盤楽器に適用した一実施形態において、鍵盤蓋を閉じて鍵盤部を覆い、かつ放音蓋を閉じて放音孔を塞いだ状態を示した断面図である。
【図２】図１に示された電子鍵盤楽器において、鍵盤蓋を開いて鍵盤部を露呈させ、かつ放音蓋を開いて補助放音蓋を前側に向けて引き出した状態を示した断面図である。
【図３】図２に示された電子鍵盤楽器の放音蓋および補助放音蓋を示した要部の拡大斜視図である。
【図４】図１に示された電子鍵盤楽器の放音蓋および補助放音蓋を示し、（ａ）はその要部を示した拡大断面図、（ｂ）は（ａ）のＡ−Ａ矢視における要部の拡大断面図である。
【図５】図３に示された補助放音蓋におけるストッパ部のフック部を示した要部の拡大斜視図である。
【図６】図３に示された放音蓋および補助放音蓋のＢ−Ｂ矢視における断面を示し、（ａ）はストッパ部のフック部がガイド部材のガイド溝の係止凹部に係止された状態を示した要部の拡大断面図、（ｂ）はストッパ部のフック部がガイド部材のガイド溝の係止凹部から離脱して、補助放音蓋がスライドする状態を示した要部の拡大断面図である。
【発明を実施するための形態】
【００１２】
以下、図１〜図６を参照して、この発明を電子鍵盤楽器に適用した一実施形態について説明する。
この電子鍵盤楽器は、図１および図２に示すように、楽器ケース１を備えている。この楽器ケース１は、前側上部（図１では左側上部）が開放された横長のほぼ箱形状に形成されている。
【００１３】
すなわち、この楽器ケース１は、図１および図２に示すように、底板２と、この底板２の前端部（図１では左端部）に起立して設けられた前板３と、底板２の後端部（図１では右端部）に起立して設けられた後板４と、底板２の左右両側部（図１では紙面の表裏面の両側部）に起立して設けられた一対の側板５と、この一対の側板および後板４の上部に配置された天板６とを備えている。
【００１４】
この場合、前板３は、図１および図２に示すように、後板４の高さのほぼ半分程度の高さで形成されている。また、一対の側板５は、その前端部が前板３よりも少し高く形成され、前後方向（図１では左右方向）におけるほぼ中間部から後部側が後板４と同じ高さで形成され、前端部から中間部に向けて後部上がりに傾斜する傾斜部５ａに形成されている。
【００１５】
天板６は、図１および図２に示すように、前天板７と後天板８とを備えている。この場合、前天板７は、一対の側板５の後部における前側上部に配置されている。後天板８は、一対の側板５の後部における後側上部と後板４の上部とに前天板７よりも一段低い位置に配置されている。これにより、楽器ケース１は、一対の側板５の各傾斜部５ａに対応する前部側が上方に開放された横長のほぼ箱形状に形成されている。
【００１６】
この楽器ケース１内には、図１および図２に示すように、鍵盤部１０が設けられている。この鍵盤部１０は、楽器ケース１の底板２上に配置された鍵盤シャーシ１１と、この鍵盤シャーシ１１上に上下方向に回転可能な状態で並列に配列された複数の鍵１２とを備えている。この鍵盤部１０は、複数の鍵１２が楽器ケース１の前部側から上方に露呈した状態で、押鍵操作されるように構成されている。
【００１７】
また、この楽器ケース１内には、図１および図２に示すように、コンソール部９が鍵盤部１０の後部に位置する上側から天板６の前部の下側に向けて傾斜して設けられている。また、この楽器ケース１内には、鍵盤部１０の上側を覆う鍵盤蓋１３が蓋ガイド部１４によって開閉可能に設けられている。この鍵盤蓋１３は、前蓋１５と後蓋１６とを有し、この前蓋１５と後蓋１６とが蝶番１７によって折り曲げ可能に連結された構成になっている。
【００１８】
この場合、前蓋１５の前端部には、図１および図２に示すように、ガイド軸１５ａが一対の側板５の内面に向けて突出して設けられている。また、後蓋１６の前端部には、ガイド軸１６ａが一対の側板５の内面に向けて突出して設けられている。この後蓋１６の後端部には、軸取付板１６ｂが取り付けられており、この軸取付板１６ｂには、連結軸１６ｃが取り付けられている。
【００１９】
蓋ガイド部１４は、図１および図２に示すように、鍵盤蓋１３が鍵盤部１０の上側を覆った際に、前蓋１５と後蓋１６とを前下がりに傾斜するほぼ平板状に配置し、かつ鍵盤蓋１３が鍵盤部１０を上側に開放した際に、前蓋１５と後蓋１６とを蝶番１７で折り曲げて鍵盤部１０の後部に接近させた状態で配置させるように構成されている。この場合、蓋ガイド部１４は、ガイドレール部１８とガイド部材１９とを有している。
【００２０】
ガイドレール部１８は、図１および図２に示すように、一対の側板５の内面に前板３の上側からコンソール部９の上側を経て後板４に向けて斜め上方に傾斜して設けられ、鍵盤蓋１３の前蓋１５のガイド軸１５ａと後蓋１６のガイド軸１６ａとをそれぞれガイドするように構成されている。これにより、ガイドレール部１８は、図１に示すように、前蓋１５と後蓋１６とが鍵盤部１０の上側を覆った際に、前蓋１５と後蓋１６とを前下りに傾斜させた状態で平板状に配置するように構成されている。
【００２１】
ガイド部材１９は、図１および図２に示すように、鍵盤部１０の後端部の上部付近に位置する箇所の側板５の内面に設けられた支持軸２０と、この支持軸２０に回転自在に取り付けられたアーム部２１と備えている。また、このガイド部材１９は、アーム部２１の先端が後蓋１６の後端部に設けられた軸取付板１６ｂの連結軸１６ｃに回転可能に取り付けられるように構成されている。
【００２２】
これにより、蓋ガイド部１４は、図１に示すように、鍵盤蓋１３の前蓋１５と後蓋１６とが鍵盤部１０の上側を覆って閉じた際に、前蓋１５のガイド軸１５ａがガイドレール部１８の前端部に位置し、後蓋１６のガイド軸１６ａがガイドレール部１８の中間部に位置し、この状態でガイド部材１９のアーム部２１が支持軸２０を中心に反時計回りに回転して起立し、後蓋１６の後端部に位置する連結軸１６ｃがガイドレール部１８に対応する位置に押し上げられることにより、前蓋１５と後蓋１６とを前下がりに傾斜させた状態で平板状に配置するように構成されている。
【００２３】
また、この蓋ガイド部１４は、図２に示すように、鍵盤蓋１３が開いて鍵盤部１０を上側に開放した際に、前蓋１５のガイド軸１５ａが鍵盤部１０の後部上方に位置するガイドレール部１８の箇所に位置し、後蓋１６のガイド軸１６ａがガイドレール部１８の後端部に位置し、ガイド部材１９のアーム部２１が支持軸２０を中心に時計回りに回転して垂下して、後蓋１６の後端部に位置する連結軸１６ｃが鍵盤部１０の下部後方に位置することにより、前蓋１５と後蓋１６とを蝶番１７で折り曲げて、後蓋１６を鍵盤部１０の後部に接近させた状態で垂下させるように構成されている。
【００２４】
ところで、楽器ケース１内には、図１および図２に示すように、スピーカ２３が鍵盤部１０の後方に位置した状態で下向きに配置されている。このスピーカ２３は、鍵盤蓋１３の後蓋１６が前蓋１５に対し折り曲げられて鍵盤部１０の後部に接近した状態で垂下された際に、この後蓋１６の後方に位置する箇所における鍵１２の配列方向の両側に配置されている。
【００２５】
楽器ケース１の底板２には、図１および図２に示すように、スピーカ２３の音を楽器ケース１の下側に向けて放音する第１放音孔２４が、スピーカ２３に対応して設けられている。また、この楽器ケース１の天板６における後天板８には、スピーカ２３の音を楽器ケース１の上側に向けて放音する第２放音孔２５が設けられている。
【００２６】
この場合、前天板７は、図１および図２に示すように、鍵盤部１０の後部の上方に位置して後天板８よりも高い位置に配置され、鍵盤蓋１３が鍵盤部１０を上側に開放した際に、前蓋１５の上面が接近するように構成されている。また、後天板８は、スピーカ２３の上方に位置し、その上面が前天板７の下面とほぼ同じ高さで、一対の側板５と後板４との各上部に亘って設けられている。
【００２７】
これにより、第２放音孔２５は、図１および図２に示すように、スピーカ２３の上方に位置する後天板８に、そのほぼ全域に亘って設けられている。この後天板８の上面には、第２放音孔２５を塞ぐための放音蓋２６が開閉可能に設けられている。この放音蓋２６は、その大きさが後天板８とほぼ同じ大きさで、かつその厚みが前天板７とほぼ同じ厚みに形成された四角形の平板状に形成されている。この放音蓋２６は、その後端部（図２では右端部）が後天板８の後端部に蝶番２７によって上下方向に回転可能に取り付けられている。
【００２８】
この放音蓋２６には、図１〜図３に示すように、補助放音蓋２８がスライド可能に取り付けられている。この補助放音蓋２８は、放音蓋２６から楽器ケース１の前側（図２では左側）に向けて突出する位置と、放音蓋２６に設けられた蓋収納部２９内に収納される位置とに、移動するように構成されている。この場合、蓋収納部２９は、放音蓋２６のほぼ全域に設けられた凹部であり、放音蓋２６の前部側と下部側とに開放されている。
【００２９】
補助放音蓋２８は、図１〜図３に示すように、放音蓋２６の蓋収納部２９とほぼ同じ大きさの平板状に形成され、放音蓋ガイド部３０によって放音蓋２６の前後方向、つまり楽器ケース１の前後方向にスライド可能にガイドされるように構成されている。この放音蓋ガイド部３０は、補助放音蓋２８の両側部に設けられたガイド突起部３１と、放音蓋２６の蓋収納部２９内における両側部に設けられたガイド部材３２と、を備えている。
【００３０】
この場合、ガイド突起部３１は、図１〜図４に示すように、補助放音蓋２８の両側部にその前部から後部に亘って連続して形成されている。ガイド部材３２は、放音蓋２６の蓋収納部２９内における両側部にその前部から後部に亘って連続して配置されている。また、放音蓋２６の蓋収納部２９内に露出するガイド部材２６の内面には、ガイド突起部３１がスライド可能に挿入するガイド溝３２ａがガイド部材２６の前部から後部に亘って連続して形成されている。
【００３１】
これにより、放音蓋ガイド部３０は、図３および図４に示すように、補助放音蓋２８のガイド突起部３１が蓋収納部２９内に設けられたガイド部材３２のガイド溝３２ａ内に挿入した状態で、補助放音蓋２８のガイド突起部３１がガイド部材３２のガイド溝３２ａ内を補助放音蓋２８のスライド動作に応じて移動することにより、補助放音蓋２８をガイドするように構成されている。
【００３２】
また、補助放音蓋２８は、図５および図６に示すように、放音蓋２６から楽器ケース１の前方に向けてスライドして最も突出した際に、ストッパ部３３によって放音蓋２６の蓋収納部２９内から抜け出さないように構成されている。このストッパ部３３は、補助放音蓋２８のガイド突起部３１における後端部に設けられたフック部３４と、ガイド部材３２のガイド溝３２ａにおける前端部に設けられた係止凹部３５とを備えている。
【００３３】
ガイド突起部３１のフック部３４は、図５および図６に示すように、ガイド突起部３１の後端部（図５では右側）から後方に向けて突出し、この突出した端部に係止突起部３４ａがガイド溝３２ａ内に向けて突出して形成されている。この係止突起部３４ａは、補助放音蓋２８の後部側に位置する部分が前側に向けて突出する傾斜面に形成され、補助放音蓋２８の前部側に位置する部分が補助放音蓋２８のスライド方向に対して直交する係合面に形成されている。
【００３４】
このフック部３４は、図５および図６に示すように、その全体がガイド部材３２のガイド溝３２ａの内面に対して接離方向に弾性変形するように構成されている。これにより、フック部３４は、その係止突起部３４ａがガイド部材３２のガイド溝３２ａ内に押し付けられる方向に付勢されてガイド溝３２ａの内面に弾接した状態で、スライドするように構成されている。
【００３５】
また、ガイド部材３２のガイド溝３２ａ内に設けられた係止凹部３５は、図６（ａ）および図６（ｂ）に示すように、ガイド部材３２のガイド溝３２ａの前部に向けて前下がりに傾斜する傾斜部３５ａと、この傾斜部３５ａの前端に位置してガイド溝３２ａと直交する当接部３５ｂとを有し、傾斜部３５ａに沿ってフック部３４の係止突起部３４ａの先端が摺動し、当接部３５ｂにフック部３４の係止突起部３４ａの係合面が当接するように構成されている。
【００３６】
これにより、ストッパ部３３は、図５および図６に示すように、補助放音蓋２８が放音蓋２６の蓋収納部２９内から引き出される方向にスライドし、フック部３４の係止突起部３４ａがガイド溝３２ａの係止凹部３５に到達すると、フック部３４の係止突起部３４ａが係止凹部３５の傾斜部３５ａに沿って弾性変形しながら移動して係止凹部３５の当接部３５ｂに当接し、これにより補助放音蓋２８が放音蓋２６の蓋収納部２９内から抜け出さないように構成されている。
【００３７】
また、このストッパ部３３は、図５および図６に示すように、補助放音蓋２８が放音蓋２６の蓋収納部２９内に向けて押し込まれると、フック部３４の係止突起部３４ａがガイド溝３２ａの係止凹部３５の当接部３５ｂから離れる方向に移動し、フック部３４の係止突起部３４ａが係止凹部３５の傾斜部３５ａに沿って弾性変形しながら移動してガイド溝３２ａの係止凹部３５から離脱し、この状態で補助放音蓋２８が移動しながら放音蓋２６の蓋収納部２９内に収納されるように構成されている。
【００３８】
この場合、ストッパ部３３は、図６（ｂ）に示すように、補助放音蓋２８がガイド溝３２ａから離脱して、フック部３４の係止突起部３４ａがガイド部材３２のガイド溝３２ａの内面に弾力的に押し付けられながら移動することにより、補助放音蓋２８を放音蓋２６の前後方向における任意の位置に保持するように構成されている。
【００３９】
次に、この電子鍵盤楽器の作用について説明する。
この電子鍵盤楽器で演奏をする場合には、まず、図２に示すように、鍵盤蓋１３を開いて鍵盤部１０を上側に開放させる。このときには、前蓋１５の前端部を持ち上げて後方に向けて移動させる。
【００４０】
すると、前蓋１５のガイド軸１５ａと後蓋１６のガイド軸１６ａがガイドレール部１８に沿って移動し、ガイド部材１９のアーム部２１が支持軸２０を中心に時計回りに回転し、このアーム部２１の回転に伴って後蓋１６の後端部に位置する連結軸２２が下側に回転移動する。これにより、前蓋１５と後蓋１６とが蝶番１７によって徐々に折れ曲がりながら楽器ケース１内の後側に向けて移動する。
【００４１】
そして、図２に示すように、前蓋１５のガイド軸１５ａが鍵盤部１０の後部上方に位置するガイドレール部１８の箇所に位置し、後蓋１６のガイド軸１６ａがガイドレール部１８の後端部に位置し、ガイド部材１９のアーム部２１が支持軸２０を中心に時計回りに回転して垂下され、後蓋１６の後端部に位置する連結軸１６ｃが鍵盤部１０の下部後方に位置すると、後蓋１６が前蓋１５に対し折れ曲がって鍵盤部１０の後部に接近した状態で楽器ケース１内に垂下される。
【００４２】
このときには、図２に示すように、後蓋１６が鍵盤部１０の後部とスピーカ２３との間に垂下されて配置されるので、鍵盤部１０とスピーカ２３との両方の空間が仕切られる。この後蓋１６によって楽器ケース１内にスピーカ２３の音響空間が形成される。この状態では、鍵盤部１０が上方に開放されて複数の鍵１２が上側に露呈するので、演奏が可能な状態になる。
【００４３】
この状態で、演奏する前には、まず、天板６上の放音蓋２６を開いて第２放音孔２５を開放する。このときは、放音蓋２６の前端部を引き上げて、図２に示すように、蝶番２７を中心に放音蓋２６を所定角度、例えば３０度前後の角度で前上りに傾斜させて開き、後天板８の第２放音孔２５を開放する。
【００４４】
そして、演奏者が鍵盤部１０を押鍵操作して演奏すると、スピーカ２３から楽音が発生される。このときには、スピーカ２３からの音が第１放音孔２４から楽器ケース１の下側に放音されると共に、第２放音孔２５から楽器ケース１の上方に放音され、この上方に放音された音が放音蓋２６によって楽器ケース１の前側に向けて反射される。
【００４５】
また、この状態で、図２に示すように、放音蓋２６の補助放音蓋２８を放音蓋２６の蓋収納部２９内から放音蓋２６の前側に向けて引き出す。このときには、補助放音蓋２８のガイド突起部３１が蓋収納部２９内に設けられたガイド部材３２のガイド溝３２ａ内を補助放音蓋２８のスライド動作に応じて移動する。
【００４６】
そして、ストッパ部３３のフック部３４の係止突起部３４ａがガイド溝３２ａの係止凹部３５に到達すると、フック部３４の係止突起部３４ａが係止凹部３５の傾斜部３５ａに沿って弾接しながら移動して、係止突起部３４ａの係合面が係止凹部３５の当接部３５ｂに当接する。これにより、係止突起部３４ａが放音蓋２６の蓋収納部２９内から抜け出すことがなく、放音蓋２６に対する補助放音蓋２８の移動が停止される。
【００４７】
このときには、フック部３４の係止突起部３４ａがガイド溝３２ａに弾力的に押し付けられた状態で、ガイド溝３２ａに沿って移動することにより、放音蓋２６に対する係止突起部３４ａの移動を停止させると、補助放音蓋２８が放音蓋２６の前後方向における任意の位置に保持される。このため、補助放音蓋２８の引き出し長さを自由に調整して設定することができる。
【００４８】
この状態で、演奏者が鍵盤部１０を押鍵操作してスピーカ２３から楽音が発生され、このスピーカ２３からの音が第２放音孔２５から楽器ケース１の上方に放音されると、この上方に放音された音が、放音蓋２６によって楽器ケース１の前側に向けて反射されると共に、この放音蓋２６から引き出された補助放音蓋２８によっても楽器ケース１の前側に向けて反射される。
【００４９】
このときには、第２放音孔２５から楽器ケース１の上方に放音された楽音が、放音蓋２６および補助放音蓋２８によって楽器ケース１の前側に向けて反射されることにより、第２放音孔２５から放音された楽音が、放音蓋２６および補助放音蓋２８の後方に回り込むことがなく、楽器ケース１の前側に向けて指向性をもって放音される。このため、音響性能が向上する。
【００５０】
また、このときには、放音蓋２６と補助放音蓋２８とによって反射面積が大きくなるため、ダイナミックな音響変化が創出され、音響性能が高められる。このため、演奏者がスピーカ２３から放音された演奏音を良好に聞くことができ、この放音された演奏音を聞きながら良好に演奏することができる。
【００５１】
このように、この電子鍵盤楽器によれば、内部に鍵盤部１０が配置された楽器ケース１と、この楽器ケース１における鍵盤部１０の後方に配置されたスピーカ２３と、楽器ケース１の上部に開閉可能に取り付けられ、開状態においてスピーカ２３で発生した音を放音するための第２放音孔２５を開放する放音蓋２６と、この放音蓋２６に移動可能に設けられ、放音蓋２６から楽器ケース１の前側に向けて突出する位置、および放音蓋２６に収納される位置に移動する補助放音蓋２８と、を備えているので、スピーカ２３の音を効率良く、かつ良好に放音させることができる。
【００５２】
すなわち、この電子鍵盤楽器では、放音蓋２６を開いて第２放音孔２５を開放させた際に、スピーカ２３で発生して第２放音孔２５から放音された音を、放音蓋２６によって楽器ケース１の前側に向けて良好に反射させて放音させることができると共に、この状態で補助放音蓋２８を放音蓋２６から楽器ケースの前側に向けて突出させることができるので、この補助放音蓋２８によっても第２放音孔２５から放音された音を楽器ケース１の前方に向けて指向性をもたせて良好に反射させて放音させることができる。
【００５３】
これにより、第２放音孔２５から楽器ケース１の上方に放音された音が、放音蓋２６および補助放音蓋２８によって楽器ケース１の前側に向けて反射されるので、第２放音孔２５から放音された音が放音蓋２６および補助放音蓋２８の後方に回り込むことがなく、第２放音孔２５から放音された音を楽器ケース１の前側に向けて反射させて、指向性をもって放音させることができる。
【００５４】
また、放音蓋２６と補助放音蓋２８とによって反射面積が大きくなるため、ダイナミックな音響変化を創出することができ、音響性能を向上させることができるので、演奏者がスピーカ２３から放音された演奏音を良好に聞くことができ、この放音された演奏音を聞きながら良好に演奏することができる。
【００５５】
この場合、補助放音蓋２８は、放音蓋２６内に収納されるので、放音蓋２６を閉じて第２放音孔２５を塞いだ際に、補助放音蓋２８が邪魔にならず、放音蓋２６で第２放音孔２５を確実にかつ良好に塞ぐことができる。すなわち、放音蓋２６には、補助放音蓋２８を収納する蓋収納部２９が設けられていることにより、この蓋収納部２９内に補助放音蓋２８を確実にかつ良好に収納することができ、これにより鍵盤楽器全体の外観およびデザインが損なわれないようにすることができる。
【００５６】
また、第２放音孔２５は、楽器ケース１の上部に位置する天板６にその上下に貫通して設けられており、放音蓋２６は、天板６上に蝶番２７によって上下方向に回転可能に取り付けられていることにより、放音蓋２６を上下方向に回転させるだけで、簡単にかつ容易に第２放音孔２５を開閉することができると共に、放音蓋２６を所定角度で前上がりに傾斜させて開くことができるので、この放音蓋２６によってスピーカ２３で発生した音を第２放音孔２５から楽器ケース１の前側に向けて良好に反射させて放音させることができる。
【００５７】
また、鍵盤蓋１３は、前蓋１５と後蓋１６とを蝶番１７によって折れ曲がり可能に連結した構成であるから、鍵盤部１０を上側に開放した際に、前蓋１５と後蓋１６とを蝶番１７で折り曲げ、この折り曲げられた後蓋１６を鍵盤部１０の後部に接近させた状態で配置させることができる。これにより、後蓋１６が鍵盤部１０の後部とスピーカ２３との間に垂下されて配置されるので、その両方の空間を仕切ることができ、これにより楽器ケース１内にスピーカ２３の音響空間を形成することができる。
【００５８】
また、この電子鍵盤楽器では、補助放音蓋２８が放音蓋２６に楽器ケース１の前後方向にスライド可能に取り付けられていることにより、補助放音蓋２８を放音蓋２６に対してスライドさせるだけで、容易にかつ良好に補助放音蓋２８を放音蓋２６から楽器ケースの前側に向けて突出させることができる。この場合、補助放音蓋２８は、放音蓋２６に対してスライドする際に、放音蓋ガイド部３０によって放音蓋２６の前後方向にガイドされていることにより、補助放音蓋２８を放音蓋２６に対して円滑にスライドさせることができる。
【００５９】
すなわち、放音蓋ガイド部３０は、補助放音蓋２８の両側部に設けられたガイド突起部３１と、放音蓋２６の蓋収納部２９内における両側部に設けられたガイド部材３２と、を備え、このガイド部材３２にガイド突起部３１がスライド可能に挿入するガイド溝３２ａが設けられた構成であるから、補助放音蓋２８のガイド突起部３１をガイド部材３２のガイド溝３２ａによって補助放音蓋２８のスライド動作に応じてガタツクことなく、滑らかに移動させることができる。
【００６０】
さらに、この電子鍵盤楽器では、補助放音蓋２８が放音蓋２６から楽器ケース１の前側に向けてスライドした際に、補助放音蓋２８の移動を停止させるストッパ部３３を備えているので、補助放音蓋２８を放音蓋２６から楽器ケース１の前側に向けてスライドさせて最も引き出した際に、ストッパ部３３によって補助放音蓋２８が放音蓋２６の蓋収納部２９内から抜け出すのを確実に防ぐことができる。
【００６１】
すなわち、ストッパ部３３は、補助放音蓋２８のガイド突起部３１における後端部に設けられたフック部３４と、放音蓋２６内のガイド溝３２ａにおける前端部に設けられた係止凹部３５とを備えているので、補助放音蓋２８が放音蓋２６の蓋収納部２９内から引き出される方向にスライドし、フック部３４がガイド溝３２ａの係止凹部３５に到達すると、フック部３４を係止凹部３５によって係止することができる。これにより、補助放音蓋２８の移動を確実に停止させて、補助放音蓋２８が放音蓋２６の蓋収納部２９内から抜け出さないようにすることができる。
【００６２】
この場合、フック部３４は、ガイド突起部３１の後端部から後方に向けて突出し、この突出した端部に係止突起部３４ａがガイド部材３２のガイド溝３２ａに向けて突出して形成され、この係止突起部３４ａがガイド部材３２のガイド溝３２ａに弾力的に押し付けられる構成であるから、フック部３４の係止突起部３４ａがガイド部材３２のガイド溝３２ａに沿って移動する際に、フック部３４の弾性力によって補助放音蓋２８を放音蓋２６の前後方向における任意の位置に保持することができ、これにより補助放音蓋２８の引き出し長さを自由に調整して設定することができる。
【００６３】
なお、上述した実施形態では、楽器ケース１内にスピーカ２３を下向きで設けた場合について述べたが、これに限らず、スピーカ２３を上向き、または前向きに設けた構成であっても良い。
【００６４】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６５】
（付記）
請求項１に記載の発明は、鍵盤部が配置された楽器ケースと、この楽器ケース内でかつ前記鍵盤部の後方に配置されたスピーカと、前記楽器ケースの上部に開閉可能に取り付けられ、開状態において前記スピーカで発生した音を放音するための放音孔を開放する放音蓋と、この放音蓋から前記楽器ケースの前側に向けて突出する位置に移動可能に設けられた補助放音蓋と、を備えていることを特徴とする鍵盤楽器である。
【００６６】
請求項２に記載の発明は、請求項１に記載の鍵盤楽器において、前記放音孔は、前記楽器ケースの上部に位置する天板にその上下に貫通して設けられており、前記放音蓋は、前記天板上に上下方向に回転可能に取り付けられていることを特徴とする鍵盤楽器である。
【００６７】
請求項３に記載の発明は、請求項１または請求項２に記載の鍵盤楽器において、前記補助放音蓋は、前記放音蓋に前記楽器ケースの前後方向に向けてスライド可能に取り付けられていることを特徴とする鍵盤楽器である。
【００６８】
請求項４に記載の発明は、請求項３に記載の鍵盤楽器において、前記放音蓋に対して前記補助放音蓋を前記楽器ケースの前後方向にガイドする放音蓋ガイド部を備えていることを特徴とする鍵盤楽器である。
【００６９】
請求項５に記載の発明は、請求項３または請求項４に記載の鍵盤楽器において、前記補助放音蓋が前記放音蓋から前記楽器ケースの前側に向けて移動した際に、前記補助放音蓋の移動を停止させるストッパ部を備えていることを特徴とする鍵盤楽器である。
【符号の説明】
【００７０】
１  楽器ケース
６  天板
７  前天板
８  後天板
１０  鍵盤部
１３  鍵盤蓋
１４  蓋ガイド部
１５  前蓋
１６  後蓋
２３  スピーカ
２５  第２放音孔
２６  放音蓋
２７  蝶番
２８  補助放音蓋
２９  蓋収納部
３０  放音蓋ガイド部
３３  ストッパ部
【図１】
2015011144.tif 000003
【図２】
2015011144.tif 000004
【図３】
2015011144.tif 000005
【図４】
2015011144.tif 000006
【図５】
2015011144.tif 000007
【図６】
2015011144.tif 000008